Podtech/llm-jp-corpus-v4-ja_patent huggingface dataset:
(57)【要約】      （修正有）【課題】小さなゴミを捨てる際には中身を最低限隠しながら最小限の労力で捨てられ、昆虫の侵入や臭気などもある程度防ぐことができるゴミ箱を提供する。【解決手段】蓋付ゴミ箱の蓋部分に小窓を設け、その小窓にも開閉式の小蓋を設置する。【選択図】図１
2019043775.tif 000002
【特許請求の範囲】
【請求項１】
蓋付ゴミ箱の蓋部分に小窓を設け、これに小窓サイズの小蓋を設置する。
小蓋は、水平にスライドするものや、固定軸で左右にスライドするもの、ドア方式のものなど、容易に開閉できるものとする。
【発明の詳細な説明】
【技術分野】
【０００１】  本発明は蓋付ゴミ箱使用に際し、さらに手軽に捨てられる小窓に関する。
【背景技術】
【０００２】  蓋付ゴミ箱は、ゴミを捨てても蓋があるために中が隠され見栄えが良い。
しかし、大きな蓋の開閉の繰り返しは少なからず負担がある。小さなゴミはもっと手軽に少ない労力で捨てられるようにしたい。
【先行技術文献】
【特許文献】
【０００３】
【非特許文献１】実用新案登録第３１８３１６９５号
【発明の概要】
【発明が解決しようとする課題】
【０００４】  しかしながら、以上の技術によれば、ゴミの大小にかかわらず捨てるたびに、全体を覆う可動域の大きな蓋を開閉するため、動作も大きくなり、また、その度にゴミ箱の中身が見え臭気なども立ち上りやすくなる。
【課題を解決するための手段】
【０００５】  以上の課題を克服するために、第一発明はゴミ箱の大きな蓋に小窓を設けたことを特徴とするゴミ箱である。また第二発明は、小窓にも開閉式の蓋を取り付けることを特徴とするゴミ箱である。なお、小窓の蓋はスライド式又はドア方式等々で開閉できるようにする。
【発明の効果】
【０００６】  第一発明、第二発明によれば小さなゴミを捨てる際には中身を最低限隠しながら最小限の労力で捨てられ、昆虫の侵入や臭気などもある程度防ぐことができる。
【図面の簡単な説明】
【０００７】
【図１】この発明の一実施形態を示す斜視図１である。
【図２】この発明の一実施形態を示す斜視図２である。
【発明を実施するための形態】
【実施例１】
【０００８】  この発明の実施形態を図１に示す。
蓋付ゴミ箱の蓋部分に小窓を設け、その小窓サイズのスライド式蓋を取り付ける。これはコの字レールを３方向に設置し小蓋を遊動範囲内に固定するものである。
【実施例２】
【０００９】  この発明の実施形態を図２に示す。
蓋付ゴミ箱の蓋部分に小窓を設け、その小窓サイズのスライド式蓋を固定軸で取り付ける。力点にはつまみ取っ手を付け、左右にスライドさせる。
【図１】
2019043775.tif 000003
【図２】
2019043775.tif 000004
(57)【要約】【課題】  本発明は、会議や会合の席、弁当のテーブル席では卓上に置いて注いで飲める湯呑カップになる、キャップがカップのペットボトルである。スポーツや行楽など水分補給には従来と同様にペットボトルの栓をするための蓋として持ち歩きにも使用できる、キャップとカップを一体型の構造に成型加工した、シンプルで低コストのキャップがカップのペットボトルを提供する。【解決の手段】  湯呑カップ底部分とペットボトルの注ぎ口部分をカップ内側ネジ山部分とボトル外側のネジ山の部分でねじ込み、カップの底部とボトルの注ぎ口部を圧着して気密性の高い密封容器とすることで持ち歩きにも使用出来るし、卓上に置いて注いで飲める湯呑カップになる、キャップがカップのペットボトルであることを特徴とする。【選択図】  図３
2019043622.tif 000002
【特許請求の範囲】
【請求項１】
湯呑カップ底部分とペットボトルの注ぎ口部分をカップ内側縁のネジ山部分とボトル外側肩のネジ山部分でねじ込み、カップの底部とボトルの注ぎ口部を圧着して気密性の高い密封容器で持ち歩き出来るし、卓上に置いて注いで飲める湯呑カップにもなるキャップがカップ兼用のペットボトル。
【発明の詳細な説明】
【技術分野】
【０００１】
本発明は、お茶やコーヒー、ジュース類など、飲料用ペットボトルとキャップの部分と両方に改良を加えたキャップが湯呑カップ兼用のペットボトルに関するものである。
【背景技術】
【０００２】
従来のペットボトルは持ち歩きの屋外用、水分補給の携行用には適しているが、会議や会合の席やお弁当の席などにも個々にペットボトルを利用される事が多い、しかし、テーブル席の場合は湯呑カップに注いで飲む方が適していて、紙コップとか別途に用意されていることも多いが余分に手間がかかる。こうした両方の利用に適合したキャップがカップ兼用のペットボトルが市販されていない。
【先行技術文献】
【特許文献】
【０００３】
【特許文献１】特開  ２０１１―０６３３１３号公報
【発明の概要】
【発明が解決しようとする課題】
【０００４】
これは従来のペットボトルのキャップを“注いで飲むためのコップ型の蓋”として考案されたもので、コップと従来のキャップを合体させて、コップとキャップの機能を兼用することを目的とするものでコップの底にキャップを付けてありコップとして違和感がある。
【０００５】
コップの底にはキャップとか容器の内側には余分な物が付いてあると、キャップ栓のネジ切り溝に飲み残りの水滴が残り、コップを逆さにしてキャップ栓を閉めする時に水垂れの原因となる。本発明は、キャップと湯呑カップの二つの機能を一つで兼用する既存には市販されてないキャップがカップのペットボトルとすることを目的とする。  
【課題を解決するための手段】
【０００６】
この目的の解決策としてキャップがカップ兼用となるカップ内部にはキャップとか余分な物は排除し、カップ内側縁のネジ山部分と、ペットボトルの注ぎ口部分にも改良を加えて圧着密閉するキャップがカップのペットボトル容器とした。
【０００７】
湯呑カップ底部分とペットボトルの注ぎ口部分をカップ内側縁のネジ山部分とボトルの肩のネジ山部分でねじ込み、カップの底部とボトルの注ぎ口部を圧着して気密性の高い密封容器とするキャップがカップのペットボトルである。
【０００８】
カップ内側縁のネジ切り部分は飲み残しの飲料水が残留する原因となるネジ切り溝を無くすために、全周にネジ山を付けないで複数の分割にしてネジ山を付けない部分と短いネジ山を付けた部分で成型することによって水滴が留まる原因となるネジ切り溝を無くし、キャップ栓を閉めるときに水垂れ防止の軽減対策措置ができる構成である。
【発明の効果】
【０００９】
会議の席や会合の席とか、また、お弁当にも通常的にペットボトルのお茶が付けて出されることが多々あるが、キャップを開けて口飲み（ラッパ飲み）することは見た目にも格好が良いものではないし、飲料水の残量が少なくなってくるとペットボトルを大きく傾けないと飲めないので、なおのこと体裁もよくないし飲み具合も良いものではない。やはりテーブル席卓上ではカップに注いで飲んだほうが飲みやすい。テーブル席卓上の場合はキャップがカップ兼用なので紙コップとか湯呑みを用意しなくても手軽に注いで飲めるので便利である。
【００１０】
一方でスポーツとか野外活動、行楽で移動行動的な持ち歩きでの利用は従来のようにキャップとしての使用の方が水垂れを気にしなくて済む。キャップがカップのペットボトルにすることによってテーブル席卓上での利用、行動的な持ち歩きでの利用どちらでも両方の使用に対応が出来る。
【００１１】
ペットボトルのお茶と別に紙コップが付いて出されることもありますが、会議や会合の席とか、スポーツやコンサート等イベント、行楽の弁当となると、その数も半端でなく多量で手間もかかるし余分の費用もかかることになる。こうした、わずらわしい状況をキャップがカップのペットボトルにすることによって、別途に紙コップとか湯呑みを用意しなくてもキャップがカップと兼用なので注いで飲める便利な効果がある。
【００１２】
カップの下側の部分には体裁良く糸敷きを付けて、見た目のデザインも良いペットボトルが製品化される効果がある。
【００１３】
また、開栓の時にキャップの口径が大きいのでネジ開けする力が軽減できるし、開け閉めの時もキャップの口径が大きいので小さい力で楽に回せる効果がある。
【図面の簡単な説明】
【００１４】
【図１】本発明の分割断面図である。
【図２】本発明の分割断面図である。
【図３】本発明の断面図である。
【図４】本発明の分割断面図である。
【図５】本発明の斜視図である。
【発明を実施するための形態】
【００１５】
以下、発明を実施するための形態について説明する。
カップ（1）の天上部の部分に湯呑カップの内側底部中央の位置で凸型球面形状とする。
【００１６】
（2）ペットボトルの注ぎ口部分の形状を圧着密閉容器とするための角度を付けると同時に先端が部薄い形態とすることで気密性を良くする。
【００１７】
（3）カップ縁のネジ山とボトル肩のネジ切り部をネジ締めすると（1）と（2）は圧着密閉容器となる。
【００１８】
カップ内側縁のネジ切り部分は飲み残しの飲料水が残留する原因となるネジ切り溝を無くすために、全周にネジ山を付けず複数の分割にしてネジ山を付けない部分と短いネジ山を付けた部分で成型することによってネジ切り溝を無くし、カップを逆さにしてキャップ栓を閉めるときに水垂れ防止の軽減対策措置ができる構造である。
【００１９】
（4）湯呑カップとなる外側下部はカップの役目をするための糸敷きを付けた形態とする。キャップがカップ兼用となる本発明は、以上のような構造である。
【符号の説明】
【００２０】
１  ボトルの栓をするキャップ兼用カップ
２  ペットボトル
３  キャップがカップのペットボトル
４  湯呑カップの糸敷
５  ボトルとカップのネジ山部
【図１】
2019043622.tif 000003
【図２】
2019043622.tif 000004
【図３】
2019043622.tif 000005
【図４】
2019043622.tif 000006
【図５】
2019043622.tif 000007
(57)【要約】【課題】従来のタイヤ滑り止めの用具タイヤチエーンは脱着時にジャキアップが必要であり面倒だった。本発明は、全てねじ止めでジヤッキアップの必要なしで脱着する為に発明されたものである。【解決手段】（イ）固定板（１）をホイールの引掛溝（４）に装着ボルト（２）をワッシヤー（８）と至導ナット（１０）により装着固定する。（ロ）固定板（１）にタイヤ滑り止めボルト（５）をナットにより装着固定する。以上の構成によるタイヤ滑り止めである。【選択図】図１
2019043531.tif 000002
【特許請求の範囲】
【請求項１】
ホイール（６）の側面に固定板（１）を装着ボルト（２）でホイールの引掛溝（４）に装着し、固定板（１）に、タイヤ滑り止めボルト（５）を差込み、ナツトで固定した、脇付けタイヤ滑り止め。
【発明の詳細な説明】
【技術分野】
【０００１】  本発明は車輪の横に取り付けるタイヤ滑り止めである。
【背景技術】
【０００２】  従来の滑り止めの用具は、タイヤチェーンが用いられている。
【発明の概要】
【発明が解決しようとする課題】
【０００３】  従来の滑り止めの用具タイヤチェーンは、取り付け取り外ずしにジヤッキアップしなければならず面倒だった。
本発明は以上の問題点を解決する為に発明されたものである。
【課題を解決するための手段】
【０００４】  タイヤ滑り止めのボルト（５）を装着する為に、フオイール（６）に、固定板（１）を装着ボルト（２）により取り付ける。
固定板（１）にタイヤ滑り止めボルト（５）を装着する。
以上の構成による脇付けタイヤ滑り止めである。
【発明の効果】
【０００５】  本発を自動車のホイールに装着するのはすべてねじ止めであり、従来の面倒なジヤッキアップの必要がなくなり、その手間から解放される。
【図面の簡単な説明】
【０００６】
【図１】ホイールに取り付けた本発明の固定板とタイヤ滑り止めの平面図。
【図２】本発明の固定板と装着ボルトと滑り止めボルトのねじ部と角部の通し穴の平面図。
【図３】固定板をホイールに固定する装着ボルトとワッシャーと至導ナットの斜視図
【図４】固定板に取り付けるタイヤ滑り止めボルトの斜視図。
【発明を実施する為の形態】
【０００７】  以上本発明の実施の形態を説明する。
（イ）車輪側面にＬ型のタイヤ滑り止めボルト（５）を取り付ける為に固定板（１）を装着ボルト（２）で装着固定する。
（ロ）装着ボルト（２）は、ホイールの引掛部（４）に取り付ける装着ボルト（２）の引掛部が大きい為固定板（１）の通加穴が大きいので装着ボルト（２）取り付けの時は、大きいワッシャー（８）と至導ナット（９）で誘導固定する。
（ハ）固定板（１）にタイヤ滑り止めボルト（６）の接地部（１４）のフレ止めの為長方形の差込口を通して装着する。
以上の構成による脇付けタイヤの滑り止めである。
【符合の説明】
【０００８】１  固定板
２  装着ボルト
３  装着ボルト固定至導ナット
４  装着ボルトホイールの引掛溝
５  タイヤの滑り止めボルト
６  ホイール
７  タイヤ
８  ワッシヤー
９  装着ボルトの固定する為の引掛部
１０  滑り止めボルトねじ部の通し穴
１１  滑り止めボルト角部の通し穴
１２  滑り止めボルトの角部
１３  滑り止めボルトねじ部
１４  滑り止めボルトの接置部
【図１】
2019043531.tif 000003
【図２】
2019043531.tif 000004
【図３】
2019043531.tif 000005
【図４】
2019043531.tif 000006
(57)【要約】      （修正有）【課題】ジエット機が高空で飛行する時、所定の高さを保つため、仰角３度で飛行するが、その正確な仰角飛行を可能とする横ひれを提供する。【解決手段】機首両側に横ひれ１を取り付け、該横ひれを主翼の補助翼と連動させる。これにより、高空において、仰角３度で、安定した飛行をすることができるので、省エネジエット機にすることができる。また、主翼の補助翼と連動するので、離陸時は揚力が増し、着陸時はブレーキとなる。したがって、離着陸距離を短縮でき、短かい滑走路でも、ジエット機を運用することができる。【選択図】図１
2019043533.tif 000002
【特許請求の範囲】
【請求項１】
ジエット機の機首両側に、横ひれを仰角３度または０度で取り付けたことを特徴とする横ひれ付き省エネジエット機。
【請求項２】
ジエット機の機首両側に、横ひれを俯仰自在に取り付けたことを特徴とする請求項１記載の横ひれ付き省エネジエット機。
【請求項３】
ジエット機の機首内から機首両側に、水平軸を通し、該水平軸に横ひれを仰角３度で取り付け、水平軸の内側の両側は軸受けで回転自在に支承し、両軸受けの中間にレバーを上向きに取り付け、また、レバー方向に受け金具を立設し、而して、レバー上端と受け金具間にスクリュージャッキを取り付け、横ひれを主翼の補助翼に連動して作動するようにしたことを特徴とする請求項２記載の横ひれ付き省エネジエット機。
【請求項４】
横ひれを、単独で操作するようにしたことを特徴とする請求項２と３記載の横ひれ付き省エネジエット機。
【発明の詳細な説明】
【技術分野】
【０００１】  本発明は横ひれ付き省エネジエット機に関する。
【背景技術】
【０００２】  ジエット機が高空において飛行する時、所定の高さを保つため、仰角３度で飛行する。【０００３】  この操作は、主翼と水平尾翼の補助翼で行うが、ジエット機の機首は、主翼から相当離れており、言い換えれば、機首が主翼から突き出た状態であるため、機首は上下にブレ、正確な仰角飛行ができないのが現状である。【０００４】  そのため、手動操作においては手動、自動操作において自動で、その都度修正せねばならない。
【発明の概要】
【発明が解決しようとする課題】
【０００５】  本発明は、機首の上下のブレをなくして安定飛行し、無駄な燃料の消費をなくし、省エネジエット機にすることを目的とする。
【発明を解決するための手段】
【０００６】  そして、本発明の実施例１の図１と図２は、ジエット機の機首両側に、横ひれを、仰角３度で取り付けたものである。
【０００７】  実施例２の図３から図５は、機首内から機首両外側に、水平軸を通し、該水平軸に横ひれを仰角３度で取り付け、水平軸の内側の両側は軸受けで回転自在に支承し、両軸受けの中間にレバーを上向きに取り付け、また、レバ方向に受け金具を立設し、而して、レバー上端と受け金具間にスクリュージャッキを取り付け、横ひれを主翼の補助翼に連動して作動するようにしたものである。なお、連動でなく、単独で作動させてもよい。
【０００８】  なお、本発明は、スクリュージャッキを取り付けたが、その他型式のものを取り付けてもよい。
【発明の効果】
【０００９】  実施例１の図１と図２は、横ひれを、機首両側に取り付け、機首の揚力を増すようにしたので、機首は飛行中ブレない。
また、高空飛行において、主翼と尾翼の補助翼を３度の仰角にした時、横ひれ３度の仰角も加はるので、仰角効果は、機体全体に及ぶ。
したがって、安定した飛行ができると共に飛行中の微妙な揺れを抑制することができる。
【００１０】  実施例２の図３から図５は、横ひれを、主翼の補助翼と連動して作動するようにしたので、仰角３°の飛行効果だけでなく、離着時は仰角が大きくなるので、離陸時は揚力が増し、着陸時はブレーキとなる。
したがって、今より、離着陸距離を短縮でき、短かい滑走路でも、ジエッ機を運用することができる。
【００１１】  以上のように、本発明を実施すれば、飛行のみならず、離着陸においても有効に作用するので、燃料消費を減じた省エネジエット機にすることができる。
また、本発明は大型のみでなく、小型ジエット機にも実施可能である。
【図面の簡単な説明】
【００１２】実施例１
【図１】  実施例１の正面図
【図２】  図１の平面図実施例２
【図３】  横ひれの正面図
【図４】  図３の平面図
【図５】  図４のＡ方向図
【発明を実施するための形態】
【００１３】  実施例１の図１と図２の、１は機首両側に取り付けた横ひれで、３度の仰角で取り付けている。
【００１４】  実施例２の図３から図５の、２は機首内から機首両側に通した水平軸で、該水平軸２に横ひれ１を仰角３度で取り付けている。また、水平軸２の内側の両側は、軸受け３で、水平軸２を回転自在に支承し、両軸受３の中間にはレバー４を上向きに取り付け、レバー４方向に受け金具５を立設している。
而して、レバー４上端と受け金具５間に、スクリュージャッキ６を取り付けている。
【００１５】  なお、図中７は、横ひれ１を強固に固定する横ひれ固定棒で、錆びないステン丸鋼で形成している。また、図１と図３の横ひれ１は仰角０°で取り付けてもよい。
【符号の説明】
【００１６】１  横ひれ      ４  レバー      ７  横ひれ固定棒
２  水平軸      ５  受け金具
３  軸受け      ６  スクリュージャッキ
【図１】
2019043533.tif 000003
【図２】
2019043533.tif 000004
【図３】
2019043533.tif 000005
【図４】
2019043533.tif 000006
【図５】
2019043533.tif 000007
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
ジェット機の機首両側に、横ひれを俯仰自在に取り付けた横ひれ付き省エネジェット機であって、ジェット機の機首内から機首両側に、水平軸を通し、該水平軸に横ひれを仰角３度で取り付け、水平軸の内側の両側は軸受けで回転自在に支承し、両軸受けの中間にレバーを上向きに取り付け、また、レバー方向に受け金具を立設し、而して、レバー上端と受け金具間にスクリュージャッキを取り付け、横ひれを主翼の補助翼に連動して作動するようにしたことを特徴とする横ひれ付き省エネジェット機
【請求項２】
横ひれを、単独で操作するようにしたことを特徴とする請求項１記載の横ひれ付き省エネジェット機。
(57)【要約】【課題】セル内面への気泡付着による測定誤差発生を防ぐことができる水質分析方法を提供する。【解決手段】測定セル１内のサンプル水による吸光又は散乱を発光体６及び受光体７によって測定する水質分析装置を用いる水質分析方法において、測定セル１内の通水線速度を６ｃｍ／ｓｅｃ以上とすることを特徴とする水質分析方法。測定セル内部での通水速度を６ｃｍ／ｓｅｃ以上にする事により、水流の剪断力により、測定セル内部に気泡が付着することを防止することができ、精度の高い水質分析を行うことができる。【選択図】図１
2019174174.tif 000002
【特許請求の範囲】
【請求項１】
測定セル内のサンプル水による吸光又は散乱を発光体及び受光体によって測定する水質分析装置を用いる水質分析方法において、測定セル内の通水線速度を６ｃｍ／ｓｅｃ以上とすることを特徴とする水質分析方法。
【請求項２】
通水線速度を６〜１０ｃｍ／ｓｅｃとすることを特徴とする請求項１の水質分析方法。
【発明の詳細な説明】
【技術分野】
【０００１】
本発明は、水質分析方法に係り、特に、比色法または比濁法を測定原理とする水質分析装置を用いた水質分析方法に関する。
【背景技術】
【０００２】
オンライン型の水質分析計においては、測定セルにサンプル水を注入し、測定項目に応じた測定試薬を添加し発色または白濁させ、測定試薬添加前後の吸光度の変化を測定する事によりサンプル水中の薬剤濃度を算出している（特許文献１，２）。
【０００３】
この水質分析計にあっては、サンプル水中にエアーが混入していると、測定セル内壁にエアーが付着し、吸光度を測定するセンサーの光路に干渉すると正常な測定が出来なくなることがあった。即ち、測定セル内壁へ気泡が付着すると、光源から照射された光が気泡により散乱してしまうため、フォトセンサーが正常な光を受光出来ない。なお、測定セル内部への気泡の付着は、装置使用開始後（新品）に多く付着する傾向があり、装置使用開始直後の測定が不安定になりやすい。
【先行技術文献】
【特許文献】
【０００４】
【特許文献１】特開２０１０−１８１１５０号公報
【特許文献２】特開２０１４−１８６０２７号公報
【発明の概要】
【発明が解決しようとする課題】
【０００５】
本発明は、セル内面への気泡付着による測定誤差発生を防ぐことができる水質分析方法を提供することを目的とする。
【課題を解決するための手段】
【０００６】
本発明の水質分析方法は、測定セル内のサンプル水による吸光又は散乱を発光体及び受光体によって測定する水質分析装置を用いる水質分析方法において、測定セル内の通水線速度を６ｃｍ／ｓｅｃ以上とすることを特徴とする。
【０００７】
通水線速度は、好ましくは６〜１０ｃｍ／ｓｅｃである。
【発明の効果】
【０００８】
本発明では、測定セル内部での通水速度を６ｃｍ／ｓｅｃ以上にする事により、水流の剪断力により、測定セル内部に気泡が付着することを防止することができ、精度の高い水質分析を行うことができる。
【図面の簡単な説明】
【０００９】
【図１】実施の形態に係る水質分析装置の概略的な断面図である。
【発明を実施するための形態】
【００１０】
図１を参照して実施の形態について説明する。測定セル１はサンプル水の流入口２と流出口３とを有する。測定セル１の一方の側面は透明部４となっており、該透明部４の反対側のセル内面は白色の反射面５となっている。透明部４の外部を覆うようにカバー８が設けられ、該カバー８内に、発光ダイオード等よりなる発光体６と、フォトダイオード等よりなる受光体７とが設けられている。発光体６からの光がセル１内のサンプル水を透過し、反射面５で反射され、サンプル水を透過して受光体７で受光され、吸光度が測定される。セル１の容積は０．３〜３．０ｍＬ特に０．５〜１．０ｍＬ程度が好適であるが、これに限定されない。
【００１１】
サンプル水は、例えばチューブポンプ（図示略）によって測定セル１に供給される。本発明では、セル１内のサンプル水の線速度が６ｃｍ／ｓｅｃ以上、例えば６〜２０ｃｍ／ｓｅｃ好ましくは６〜１０ｃｍ／ｓｅｃとなるようにサンプル水量を制御する。このようにサンプル水の線速度を６ｃｍ／ｓｅｃ以上とすることにより、測定セル１の内面への気泡付着が防止されると共に、セル１の内面に付着していた気泡が剥離除去される。即ち、６ｃｍ／ｓｅｃ以上の通水速度にすることで、水流の剪断力により測定セル内壁に付着した気泡はセル内壁から剥離し測定セル外に放出される。また測定セル内の通水速度を上げることにより発生する乱流も気泡の剥離に寄与している。本手法により、測定セル１内への気泡の付着が防止されるため、連続して正常値と同等のセンサーの値を取得出来るようになり、安定した測定を行う事ができる。
【００１２】
なお、測定を行っている間、継続してサンプル水線速度を６ｃｍ／ｓｅｃ以上としてもよく、測定に先だってサンプル水線速度を６ｃｍ／ｓｅｃ以上とし、測定時にはサンプル水線速度をそれよりも低い値（停止も含む。）として測定を行ってよい。
【００１３】
上記測定セル１は反射面５を有しているが、セル１の両側面を透明部とし、一方の透明部の外側に発光体を配置し、他方の透明部の外側に受光体を配置してもよい。
【実施例】
【００１４】
［比較例１］
測定セル（容積０．７ｍＬ）にサンプル水として純水を定流量弁を用いて流速が２ｃｍ／ｓｅｃになる様に通水した。サンプル水中には、微細な気泡が含まれるように散気球にてバブリングを行いながら通水を行った。サンプル水を１ｍｉｎ通水後、センサー値を読み取った。結果を表１に示す。
【００１５】
［実施例１］
流速が６ｃｍ／ｓｅｃ以上になる様に通水したこと以外は比較例１と同一の条件にて試験を行った。サンプル水中には従来法と同様に微細な気泡が含まれている。サンプル水を１ｍｉｎ通水後、センサー値を読み取った。結果を表１に示す。
【００１６】
［参考例１］
気泡を含んでいないサンプル水をシリンジで測定セル内に注入したこと以外は比較例１と同一条件にて試験を行い、センサー値を読み取った。結果を表１に示す。
【００１７】
【表１】
2019174174.tif 000003
【００１８】
表１の通り、実施例１の値はほぼ参考例１と一致している。これに対し、比較例１では参考例１の値との乖離が大きい。この実験結果より、本発明によると高精度の測定が可能となることが認められた。
【符号の説明】
【００１９】
１  測定セル
５  反射面
６  発光体
７  受光体
【図１】
2019174174.tif 000004
(57)【要約】【課題】植物が持つ生体触媒能力を使って生薬有効成分を自然抽出することにより、抽出する生薬有効成分に対して薬品ストレスや熱ストレスを与えないように生薬有効成分を抽出する。【解決手段】植物触媒エキスに３日間生薬を浸潤し、４日目に急速冷凍により凍結させて生薬を膨張させ、５日目に解凍することにより生薬内部より生薬有効成分を自然抽出する。この抽出法により、生薬有効成分に対して一切の薬品ストレス及び熱ストレスを与えずに生薬有効成分を自然抽出することが可能となる。【選択図】なし【特許請求の範囲】
【請求項１】
植物触媒エキスに３日間生薬を浸潤し、４日目に急速冷凍により凍結させて生薬を膨張させ、５日目に解凍することにより生薬内部より生薬有効成分を自然抽出する。
【発明の詳細な説明】
【技術分野】
【０００１】
本発明は、植物の生体触媒能力を活用して、生薬の有効成分を自然抽出することに関するものである。
【背景技術】
【０００２】
生薬有効成分の抽出法は従来、熱水やアルコールによる抽出及び乾燥粉砕という方法である。
【０００３】
しかし、従来の方法で製造すると、薬品ストレスや熱ストレスにより有効成分の一部を損傷してしまうという欠点がある。
【０００４】
このような欠点を抱えて生薬の有効性を引き出すには摂取量を増やす必要がある。しかし、生薬も副作用があるため、摂取量を増やすことは副作用の原因成分の摂取も増加することに他ならない。
【０００５】
この改善策として、植物が持つ生体触媒能力を使って自然抽出することにより、有効成分を一切損傷せずに抽出することが可能となり、摂取量が少なくて済むため、副作用成分の摂取量を大幅に減らすことが出来る。
【先行技術文献】
【特許文献】
【０００６】
【特許文献１】特開平５−１２４９７３号公報
【非特許文献】
【０００７】
【非特許文献１】長嶋司著  「植物成分と抽出法の化学」フレグランスジャーナル社出版  2018年1月19日
【発明の概要】
【発明が解決しようとする課題】
【０００８】
解決しようとする問題点は、抽出する生薬有効成分に対して薬品ストレスや熱ストレスを与えないことである。
【課題を解決するための手段】
【０００９】
本発明は、生薬有効成分を抽出する際に、薬品ストレスや熱ストレスを与えないために、植物の生体触媒能力を活用して、生薬の有効成分を自然抽出することを最も主要な特徴とする。
【発明の効果】
【００１０】
本発明の抽出法は、生薬を原型のまま３日間植物触媒エキスに浸潤し、４日目に急速冷凍し、５日目に解凍する。凍結する際に生薬が膨張し解凍する際に生薬内部から容易に有効成分を抽出出来るという利点がある。
【産業上の利用可能性】
【００１１】
国連にて、従来の副作用の強い治療薬から副作用の弱い治療薬開発を推進するよう決定している。
【００１２】
世界的に、難病治療薬の代替治療薬として、生薬による治療が急増している。
【００１３】
今後、副作用がより少なく効果の高い治療薬の需要が増加することが見込まれるため、本発明による自然抽出した生薬の必要性が高まると言える。
(57)【要約】      （修正有）【課題】既設橋梁下部工において上部工の桁が下した後に行うジャッキアップ作業に関して作業スペースを確保した下部工縁端拡幅構造を提供する。【解決手段】現場打コンクリート縁端拡幅構造にジャッキ用穴２を設ける。ジャッキ用穴を設けることにより、桁落下後の復旧は勿論、普段も橋梁の補修で支承交換などにも桁をジャッキアップする作業スペースを確保できる。橋座面と桁下間に隙間が少なく、縁端拡幅構造のコンクリート打設が困難な場合は現場打部を打設できる位置に下げて、下げた分だけをプレキャストコンクリートブロックで埋める。そして、ジャッキアップする作業スペースを確保できるようにジャッキ用穴２を設ける。【選択図】図３
2019214919.tif 000002
【特許請求の範囲】
【請求項１】
橋梁下部工において図２のようにジャッキ用穴（２）の有する現場打コンクリート縁端拡幅構造
【請求項２】
橋梁下部工において図３のように現場打コンクリート拡幅部とその上に嵩上げプレキャストブロックと組み合せた縁端拡幅構造。または、さらに図３のようにジャッキ用穴（２）の有する縁端拡幅構造
【発明の詳細な説明】
【技術分野】
【０００１】橋梁下部工コンクリート縁端拡幅構造
【先行技術文献】
【非特許文献】
【０００２】
【非特許文献１】既設橋梁落橋防止システムの設計手引き  平成十一年三月  日本橋梁建設協会
【発明の概要】
【発明が解決しようとする課題】
【０００３】既設橋梁の耐震補強構造の内、落橋防止装置として下部工縁端拡幅構造がよく採用されている。このをもっと合理的な構造に変えることが本発明の解決しようとする課題である。【０００４】既設橋梁下部工縁端拡幅構造は現場打コンクリートによるものが多いが、二つの欠点がある。【０００５】一．縁端拡幅構造は地震時上部工の桁の落下を防止するために設けているが、地震力により桁が支承の上から橋座面や縁端拡幅構造のうえに落下したあとに、桁下面と橋座面や縁端拡幅構造の間に隙間がなく、桁をジャッキアップする作業スペースを確保できない。【０００６】二．上部工の構造により支承の高さが非常に小さい場合がある。とくにコンクリートスラブ橋の場合は支承が薄く、橋座面と桁下間に隙間が狭いため、現場打コンクリート製縁端拡幅部を採用すると、コンクリート打設が困難である。このような理由により、経済的なコンクリート案が最初から外されて、拡幅手段が限られている。
【課題を解決するための手段】
【０００７】本発明は課題を解決するための手段として二つがある。
一．現場打コンクリート縁端拡幅構造に図面２のジャッキ用穴（２）を設ける。ジャッキ用穴を設けることにより、地震後移動した桁の復旧は勿論、普段橋梁の補修で支承交換などが必要な場合に備えて桁をジャッキアップする作業スペースを確保できる。【０００８】二．橋座面と桁下間の隙間が狭く、縁端拡幅構造のコンクリート打設が困難な場合は現場打部を打設できる位置に下げて、現場打部の天端と既設下部工天端の高さの差をプレキャストコンクリートブロックで埋める。地震時にプレキャストコンクリート嵩上げブロック（３）のずれがないように、樹脂による接着や図面３に示すＬ字の噛み合わせにより、プレキャストコンクリートブロックを安定させる。そして、ジャッキアップする作業スペースを確保できるように、図面３のジャッキ用穴（２）を設ける。ジャッキ用穴（２）よりやや小さめなコンクリートや木のブロック（図面３（４）ずれ止め用ブロック）をジャッキ用穴（２）に入れることで、プレキャストコンクリート嵩上げブロックの橋軸直角方向の移動をとめることも可能である。
【図面の簡単な説明】
【０００９】
【図１】一般的な橋梁下部工コンクリート縁端拡幅構造のイメージ図
【図２】本発明の考え方により改良したの橋梁下部工において現場打コンクリート縁端拡幅構造
【図３】本発明の考え方により橋座面と桁下間が狭い場合でも現場打コンクリートとプレキャストコンクリートブロックと合わせた縁端拡幅構造
【符号の説明】
【００１０】１  現場打コンクリート拡幅部
２  ジャッキ用穴
３  プレキャストコンクリート嵩上げブロック
４  ずれ止め用ブロック
【図１】
2019214919.tif 000003
【図２】
2019214919.tif 000004
【図３】
2019214919.tif 000005
(57)【要約】【課題】  雨天には太陽光発電の蓄電池設備への充電が少ない。【解決手段】  雨樋に発電機を設置する。雨天降雨時には雨樋に設置した発電機で発電を行い、既存の太陽光発電の蓄電池設備への充電を補助する。【選択図】図１
2019214918.tif 000002
【特許請求の範囲】
【請求項１】
雨樋を利用した発電
【発明の詳細な説明】
【技術分野】
【０００１】    雨樋を利用した発電機を設置する。
【背景技術】
【０００２】    太陽光発電設備が普及した。
【発明の概要】
【発明が解決しようとする課題】
【０００３】    雨天には太陽光発電の蓄電池設備への充電が少ない。
【課題を解決するための手段】
【０００４】    雨樋に発電機を設置する。
【発明の効果】
【０００５】    雨天降雨時に雨樋に設置した発電機で発電を行い、既存蓄電池設備への充電の補助ができる。
【図面の簡単な説明】
【０００６】
【図１】    雨樋の縦樋への発電機設置例概略である。
【符号の説明】
【０００７】  １  雨樋（縦樋）
２  発電機回転リング
３  発電機本体
４  蓄電池設備への接続コード
５  雨樋接続部品例
【図１】
2019214918.tif 000003
(57)【要約】【課題】  今までは燃えるゴミとして処理されいた汚れのひどいプラスチック系の弁当の空箱やカップ麺の空カップを資源として再利用できないかと思ったのである。しかも、これを燃えるゴミとして燃やせば、地球温暖化に大いに影響するとも考えた。【解決手段】  最後のページの図面のような半自動式洗浄機を考案した。即ち、タンク（１）に洗剤と半資源ゴミを投入し、それ（１）に水を入れてカバー（３）を閉じた後に、電動羽根（２）を回転させて半資源ゴミを洗浄すると云う機構にした。【選択図】図１と図２
2019214034.tif 000002
【特許請求の範囲】
【請求項１】
汚れた弁当の空箱やカップ麺のカップなどのプラスチック製の半資源ゴミを清浄して、資源ゴミにして仕舞うよな清浄機は、今までなかった。
それを考案したことである。
【発明の詳細な説明】
【技術分野】
【０００１】類似の洗浄機はあると思うが、一般家庭から出る汚れた弁当の空箱や汚れたカップ麺のカップを専門に洗浄する洗浄機はない。
【背景技術】
【０００２】廃棄物処理施設などでは、たぶん類似の洗浄機はあると思うが、一般家庭から出る汚れた弁当の空箱や汚れたカップ麺のカップを洗浄する洗浄機はまだない。
【先行技術文献】
【０００３】
【発明の概要】
【発明が解決しようとする課題】
【０００４】今日、花巻市の一般家庭で行われているゴミ分類は、下記の通である。
＊鉄くず・ペットボトル・ダンボール・生ゴミ・紙類・布類・木材・プラスチックなど花巻市の指示に従って分類し、それぞれのビニール袋などに入れいる。
ここで、私が問題としているのは、プラスチック系のゴミについてである。
日本の社会は、１５年前頃から高齢化が急に始まり、現在はほとんどの家庭では、料理を作らなくなってきて、ほとんどがスーパーやコンビニの弁当やカップ麺を利用するようになった。
そのため、燃えるゴミの量がものすごく多くなった。これは又地球の温暖化にも影響するからでもある。
この汚れた弁当の空箱などを再利用できないものかと思考したのである。
【課題を解決する手段】
【０００５】この課題を解決するには、少なくとも下記の２つが考えられる。
（ａ）まず１つ目は、各家庭で綺麗に洗って資源ゴミとして処理することである。
これには各家庭に対する労働的及び金銭的負担がかかるのでなかなか実施するのが難しいと思う。
（ｂ）２つ目は、各家庭にゴミの分類をもう１つ増やしてもらい、例えば、「半資源ゴミ」として分類してもらう。
そして、これを行政で一括して清掃する方法である。
その為には、行政では新しく「半資源ゴミ清掃機」を用意する必要がある。
「半資源ゴミ清掃機」（以下本機と称する）の構造は、最後に記した図面の様なものである。
【発明の効果】
【０００６】今まで、燃えるゴミとして処理していた物が、立派な資源となり、リサイクルされて再利用されるようになる。
更に、地球の温暖化をいくらがでも防ぐことができる。
【図面の簡単な説明】
【０００７】
【図１】  本発明の上から見た透視図である。
【図２】  本発明の側面から見た透視図である。
【発明を実施するたの形態】
【０００８】本機は、図１のような半自動式清掃機で、このタンク（１）には、タンク（１）を中心にゆっくりと回転する大きな網目状の電動羽根（２）がついていて、これ（２）は、一定方向のみに回転する簡単な構造になっている。
この（２）の網目の大きさは、半資源ゴミが自由に通過できる大きさである。
更に、このタンク（１）の上には、全体を覆う手動式のカバー（３）が付いていて、半資源ゴミをタンク（１）に入れるときは、このカバー（３）を手動でスライドさせて開き投入するのである。この時に洗剤（例えばＪＯＹなど）を同時に投入する。更に、このタンク（１）の上部の一部所に水道管より水を取り入れる為の蛇口（４）が取り付けられている。
更に又、このタンク（１）の上部に乾燥の時に使われる風を取り入れる為の風力用バルブ（５）が取り付けられている。
本機は非常に簡単な構造になっていて、その稼動手順も簡単で、それは次の通りである。
（ａ）最初に、タンク（１）のカバー（３）を開き洗剤と一緒に半資源ゴミを投入する。
（ｂ）次に、カバー（３）を閉じる。
（ｃ）ここで、蛇口（４）を空けてタンク（１）に水をいっぱいになるまでいれる。何故このような手順にしたかと云うと半資源ゴミが水に浮くのを防ぐ為である。
（ｄ）ここで初めて、所定位置に取り付けあるタイマー付きスイッチを入れる。
（ｅ）動作が停止したならば、汚れた水を排水口より、排水する。
（ｆ）排水が完了したならば、排水口を閉じてから再び水を入れてから最後再資源ゴミをさらに綺麗にする為に二度洗いするのである。
（ｇ）二度洗いがおわり、排水が完了したら今度は乾燥である。乾燥は風力を利用するので、タンク（１）の上部の風力用バルブ（５）を開き、同時にスイッチを押下して、本機を動作し、乾燥させれば一連の動作が完了となる。
後は、カバー（３）を開いて内容物を取り出せば、立派な資源として取り扱うことが出来る。
尚、本機は半自動式になっているが、全自動式にしてもよい。
【符号の説明】
【０００９】１  タンク
２  網目状の電動羽根
３  カバー
４  水道の蛇口
５  風力用バルブ
2019214034.tif 000003
【手続補正書】
【提出日】平成30年7月27日(2018.7.27)
【手続補正１】
【補正対象書類名】明細書
【補正対象項目名】０００５
【補正方法】変更
【補正の内容】
【０００５】この課題を解決するには、少なくとも下記の２つが考えられる。
（ａ）まず１つ目は、各家庭で綺麗に洗って資源ゴミとして処理することである。
これには各家庭に対する労働的及び金銭的負担がかかるのでなかなか実施するのが難しいと思う。
（ｂ）２つ目は、各家庭にゴミの分類をもう１つ増やしてもらい、例えば、「半資源ゴミ」として分類してもらう。
そして、これを行政で一括して清浄する方法である。
その為には、行政では「半資源ゴミ清浄機」を用意する必要がある。
「半資源ゴミ清浄機」（以下本機と称する）の構造は、最後に記した図面の様なものである。
【手続補正２】
【補正対象書類名】特許請求の範囲
【補正対象項目名】全文
【補正方法】変更
【補正の内容】
【特許請求の範囲】
【請求項１】
一般家庭でコンビニやスーパーで購入し、食べ尽くしの汚れた弁当の空箱やカップ麺のカップなどを「半資源ゴミ」としてあたらしく分類してもらい、これを行政で一括して清浄する方法を考えた。
【請求項２】
汚れた弁当の空箱やカップ麺のカップなどのプラスチック系の半資源ゴミを清浄して再生し、資源として取り扱えるようにする清浄機は、今までなかった。
それを考案したことである。
【手続補正書】
【提出日】平成30年8月6日(2018.8.6)
【手続補正１】
【補正対象書類名】図面
【補正対象項目名】全図
【補正方法】変更
【補正の内容】
【図１】
2019214034.tif 000004
【図２】
2019214034.tif 000005
(57)【要約】      （修正有）【課題】手袋から脱着しないで素手の指先で携帯電話などを使用できる、ハンドウオーマーを提供する。【解決手段】手首１．１から指先１．３まで覆う布または毛皮等の材料で製作した筒状被覆体１に、その内側中間部の片面に取付けた紐状のループ３を取り付け固定した、ハンドウオーマーであり、保温状態を維持しながら素手の指先が必要な時は脱着することなく、一時的に指先部を筒状被覆体から露出させて指先を使用するが出来る。【選択図】図１
2019214797.tif 000002
【特許請求の範囲】
【請求項１】
手首から指先まで覆う布または毛皮等の材料で製作した筒状被覆体にその内側中間部の片面に取付けた紐状のループを取り付け固定したことを特徴とするハンドウオーマー。
【発明の詳細な説明】
【技術分野】
【０００１】  本発明は、手首から指先まで布または毛皮等の材料で筒状に被覆し、被覆体内側片面に固定した一本の弛みをもった指差込み用紐状ループに指を通した状態で常時保温され、素手の指先で携帯電話などを操作する場合には指を紐状ループに架けたまま被覆体の先端開口部に移動させ指を露出した状態で被覆体を脱着せずに操作可能としたハンドウオーマーである。
【背景技術】
【０００２】  一般的に流通している手袋は手首、手甲部及び指先部の全体を被覆したものであり、素手の指先を使用する場合は手袋を脱着しなければならない煩雑さがある。【０００３】  被覆体を脱着せずに指先だけ素肌が露出しているハンドウオーマーは特許文献２の図４にみられるように指先部等が露出されているため指先部は常時保温機能がない。【０００４】  さらに、指先部だけが露出されたハンドウオーマーは作業用のものとして認められるがファッション性に劣る。
【先行技術文献】
【特許文献】
【特許文献１】実用新案登録第３１３１０８６号（図２）
【特許文献２】実用新案登録第３１０４３９６号（図４）
【発明の概要】
【発明が解決しようとする課題】
【０００５】  一般的に流通している被覆体の手袋は手首から指先までの保温効果を期待できるが携帯電話などを使用する場合には手袋を脱着しなければならない。この脱着の煩雑さを解決することを目的としたハンドウオーマーである。【０００６】  手袋から脱着しないで素手の指先が使用可能とした前記特許文献２は図４にみられるようにように指先の保温に対しては無防備のハンドウオーマーである。【０００７】  指先だけが露出されたハンドウオーマーの形状は作業用手袋とするイメージがありファッション性に欠ける。
【課題を解決するための手段】
【０００８】  本発明は、手首、手甲部及び指先部の全体を保温する筒状被覆体と素手の指先が必要な時においても脱着することなく紐状ループに指を差し込んで筒状被覆体と手を一体にしながら指先部を露出することが出来る特徴を有するハンドウオーマーである。【０００９】  本発明は、一般的に流通している手袋や前記特許文献２図４になどに見られるような形状が限定されたものと異なり、図５にあるように外面は単純な矩形等形状でありデザイン模様の自由性、装飾品の取り付位置の自由性などファッション性が高い。
【発明の効果】
【００１０】  本発明においては、被覆体が手首部及び指先まで被覆されているので一時的に指先を露出す時を除いて常時保温効果が維持される。【００１１】  筒状被覆体に取り付けた紐状ループ３に図２の手４．３の中指を差し入れることにより連結されているので着用しているという一体感および安定感がある。【００１２】  携帯電話の操作時や定期券の出し入れ時には手４を筒状被覆体先端開口部に移動させ指先部４．３を一時的に露出させて使用することが可能である。【００１３】  指先部が露出した状態でも筒状被覆体と図２の手４とは紐状ループ３で連結されているので指先使用の目的に応じて、また紐状ループの弛みの範囲内において露出範囲を調整することを可能とした保温機能性の高いハンドウオーマーである。
【図面の簡単な説明】
【００１４】
【図１】筒状被覆体内側概略図である。
【図２】筒状被覆体装着時内側概略図である。
【図３】図２のＡ−Ａ線断面図である。
【図４】素手の指先が露出した状態の筒状被覆体内側概略図である。
【図５】筒状被覆体の立体概略図である。
【発明を実施するための形態】
【００１５】  筒状被覆体１は手首、手甲部及び指先部の全体を被覆し保温する。被覆体は保温効果の高い毛足のある繊維または毛皮等で製作することが望ましい。
【００１６】  筒状被覆体１の手首部１．１は手３が筒状被覆体１に容易に挿入できるように、また手首部が良好な感触の得られる材質の裏地を付けることが望ましい。
【００１７】  筒状被覆体１の内側の片面に指部４．３の付け根部に相当する位置に指と指で挟める感触のある適当な太さの紐状ループ３を取り付け固定する。
【００１８】  紐状ループ３は手４の移動を制限するが指の先端が露出して使用するのに具合の良い弛みとする。
【符号の説明】１      筒状被覆体
２      裏地
３      紐状ループ
４      手
１．１  筒状被覆体の手首部
１．２  筒状被覆体の手甲部
１．３  筒状被覆体の指部
４．１  手の手首部
４．２  手の手甲部
４．３  手の指部
【図１】
2019214797.tif 000003
【図２】
2019214797.tif 000004
【図３】
2019214797.tif 000005
【図４】
2019214797.tif 000006
【図５】
2019214797.tif 000007
(57)【要約】      （修正有）【課題】バイクのサドルが雨水で濡れている場合、雨合羽を着用していても雨合羽のズボンの股部分の縫い目から雨水が入り込み下着が濡れるため、股部分の縫い目から雨水が入り込まない雨具を提供する。【解決手段】雨合羽ズボン（雨漏するもの）を覆うためのスカート型雨合羽を雨合羽と同質材でつくる。【選択図】図１
2019214815.tif 000002
【特許請求の範囲】
【請求項１】
スカート型部分
【発明の詳細な説明】
【発明の概要】
【発明が解決しようとする課題】
【０００１】冬期バイクで配達の時、乗り降りの際サドルが雨水でぬれているので、雨合羽ズボンの股ぬい目から雨水が漏れて下着がぬれるため、寒くて体調をこわす。
【課題を解決するための手段】
【０００２】雨合羽と同質材でスカート型雨合羽を作る。効果【０００３】雨合羽ズボン（雨漏するもの）をはいて、その上にスカート型雨合羽をはくと、雨合羽ズボンの股ぬい目をおおうため雨漏しない。
【図１】
2019214815.tif 000003
【手続補正書】
【提出日】平成30年12月7日(2018.12.7)
【手続補正１】
【補正対象書類名】明細書
【補正対象項目名】全文
【補正方法】変更
【補正の内容】
【発明の詳細な説明】
【発明の概要】
【発明が解決しようとする課題】
【０００１】冬期バイクで配達の時、乗り降りの際サドルが雨水でぬれているので、雨合羽ズボンの股ぬい目から雨水が漏れて下着がぬれるため、寒くて体調をこわす。
【課題を解決するための手段】
【０００２】雨合羽と同質材でスカート型雨合羽を作る。
効果【０００３】雨合羽ズボン（雨漏するもの）をはいて、その上にスカート型雨合羽をはくと、雨合羽ズボンの股ぬい目をおおうため雨漏しない。
【図面の簡単な説明】
【０００４】
【図１】図１は、スカート型、雨合羽を表す図である。
(57)【要約】【課題】本発明は、従来の緑化駐車場や広場になかった芝生による開放感も得られる水はけのよい緑化駐車場・広場の提案にある。【解決手段】本発明は、透水孔を有する舗装用ブロックを敷設したブロック舗装部と芝生面を金属筋で覆った芝生緑地を配設し、また上記芝生面を覆う金属筋を取外し、芝生の取替えを可能とした水はけの優れた緑化駐車場・広場である。【選択図】図１
2019214845.tif 000002
【特許請求の範囲】
【請求項１】
透水孔を有する舗装用ブロックを敷設したブロック舗装部と芝生面を金属筋で覆った芝生緑地を配設した水はけの優れた緑化駐車場・広場。
【請求項２】
請求項1記載の芝生面を覆う金属筋を取外し、芝生の取替えを可能とした水はけの優れた緑化駐車場・広場。
【発明の詳細な説明】
【技術分野】
【０００１】
本発明は、耐水性緑化駐車場・広場の技術に属する。
【背景技術】
【０００２】
樹脂製の枠体に透孔を有する石・コンクリート製のブロックを挿入した舗装用ブロックを敷設した、（特開2005-133426）あるいは石・コンクリート製の枠体を利用した（特開2014-234673）水はけ性の優れた緑化駐車場広く実施されている。これらは緑化部が限定され広い芝生面を見て得られる開放感がなかった。
【先行技術文献】
【特許文献】
【０００３】
【特許文献１】特開2005-133426
【特許文献２】特開2014-234673
【発明の開示】
【発明が解決しようとする課題】
【０００４】
本発明は、従来の緑化駐車場や広場になかった芝生による開放感も得られる水はけのよい緑化駐車場・広場の提案にある。
【課題を解決するための手段】
【０００５】
本第1の発明は、透水孔を有する舗装用ブロックを敷設したブロック舗装部と芝生面を金属筋で覆った芝生緑地を配設した水はけの優れた緑化駐車場ならびに広場である。
本第2の発明は、第1の発明における芝生面を覆う金属筋を取外し、芝生の取替えを可能とした水はけの優れた緑化駐車場・広場である。
【発明の効果】
【０００６】
本発明は、透水孔を有する舗装用ブロックを敷設したブロック舗装部と芝生面を金属筋で覆った芝生緑地を配設し、また上記芝生面を覆う金属筋を取外し、芝生の取替えを可能とした水はけの優れた緑化駐車場・広場であるため以下の効果がある。
１．      広い芝生面が形成可能なため開放感がある。
２．      芝生面を金属筋で覆っているため必要があれば覆いを取り外して芝生を取り替えることができる。
３．      従来の緑化駐車場・広場と同等の排水性が得られ路面が水浸しになることがない。
【図面の簡単な説明】
【０００７】
【図１】は、緑化駐車場・広場の概念図を示す。
【図２】は、ブロック舗装部の例を示す。
【図３】は、芝生とそれを覆う金属筋の例を示す。
【発明を実施するための形態】
【０００８】
以下本発明を、図をもちいて詳細に説明する。
図１は、緑化駐車場・広場の概念図であり、ブロック舗装部である排水性を高めた部分と芝生の緑化部とからなる。
図では,ブロック舗装部が緑化部を囲むように配置されている。
普段はブロック舗装部が駐車場となるが、一時的には緑化部に駐車することも可能である。
【０００９】
図２はブロック舗装部の例を示している。
ブロック舗装部は石版、コンクリート板に透孔を設けたブロックを敷設して形成しても、樹脂製の枠体に石板を挿入あるいはコンクリートを流し込んで形成してもよい。縁石で枠取り、コンクリート製の覆いを敷設してもよい。従来技術の範囲で形成可能である。
ブロックに設ける透孔はスリット、十字形など人の歩行あるいは車の走行の妨げとならない幅・長さを調節し、目的に応じた形状の透孔を選択する。
透孔は好ましくは入り口は垂直に、下方は広がるように形成し、土砂などが透孔に詰まらないようにすることが望ましい。またブロックの裏面には水はけ用の溝を適宜設けることが好ましい。
【００１０】
図３は芝生の緑化部を示している。
芝生の緑化部は縁石・コンクリー製の枠で仕切られた領域を芝生面とし、その上部を金属筋として鉄筋あるいはグレーチングで覆い、芝生を直接車や人の踏圧からの保護を行っている。緑化部の縁石・コンクリー製の枠はブロック舗装用のブロックで代替させることができる。
金属製の覆いは、芝生面の周囲に存在する縁石あるいは枠で支えるか、図に示すような浅い籠状としてその縁を地中に設けた支持体で支持するものでもよく、また途中数箇所に設けた支持体で支持し、広い範囲を芝生面とすることができる。いずれも従来技術の範囲で実施できる。
必要に応じて金属の覆いは取り外し可能としておくことで、芝生が枯れたりした時、簡単に芝生の取替えが行え、緑化の維持が容易となる。
【産業上の利用可能性】
【００１１】
従来の排水性の優れた緑化駐車場・広場として利用できる。
【符号の説明】
【００１２】
１  緑化駐車場・広場
２  ブロック舗装部
３  緑化部
３１  金属筋の覆い
４  ブロック
４１  透孔
【図１】
2019214845.tif 000003
【図２】
2019214845.tif 000004
【図３】
2019214845.tif 000005